(57)【要約】【課題】  原稿の置き忘れを効果的に防止することができる画像形成装置及び該装置で使用される警告方法を提供する。【解決手段】  利用者からコイン返却の指示がある場合に、警告部１０９が利用者に対して複合機１００に対する注意を喚起し、さらに利用者に対して表示部１０３が原稿置き忘れの警告を表示する。また、残金がない場合には、表示部１０３が原稿の置き忘れの警告を表示する。【選択図】図３
2007053806.tif 000002
【特許請求の範囲】
【請求項１】
金額に関する情報を出力する課金装置と接続する画像形成装置において、
表示手段と、
利用者からのコピー終了を示す指示入力及びコピーを継続する指示入力を受け付ける指示受付手段と、
利用者に対し原稿置き忘れ防止の警告を行なうために、前記表示手段にて表示による警告を行なう第１警告手段および音により警告を行なう第２警告手段と、
前記課金装置から受信した金額に関する情報に基づいて残金を判定する判定手段と、
前記第１警告手段による第１の警告と、前記第１警告手段と前記第２警告手段の両方による第２の警告のいずれかを実行するように前記第１警告手段及び／又は前記第２警告手段を制御する制御手段とを備え、
前記制御手段は、コピー動作終了の場合であって、前記判定手段により残金がないと判定される場合には、前記表示手段にてコピー終了確認に係る表示を実行するように前記表示手段を制御すると共に、前記表示手段が前記コピーの終了確認に係る表示を実行し、前記指示受付手段がコピー終了を示す指示入力を受け付けなかった場合に、前記課金装置に追加のコインが投入され且つ前記指示受付手段がコピーを継続する指示入力を受け付けなかったときは、前記第１の警告を実行するように前記第１警告手段を制御することを特徴とする画像形成装置。
【請求項２】
前記指示受付手段は、更に、新たなコピーの設定の指示入力を受け付けることが可能であり、
前記制御手段は、前記指示受付手段がコピーを継続する指示入力を受け付けなかった場合であって、前記指示受付手段が新たなコピーの設定の指示入力を受け付けなかったときは、前記第１の警告を実行するように前記第１警告手段を制御することを特徴とする請求項１記載の画像形成装置。
【請求項３】
前記制御手段は、前記指示受付手段がコピーを継続する指示入力を受け付けなかった場合であって、前記指示受付手段が新たなコピーの設定の指示入力を受け付けず且つ所定時間経過したときは、前記第１の警告を実行するように前記第１警告手段を制御することを特徴とする請求項２記載の画像形成装置。
【請求項４】
前記指示受付手段はコピーの終了確認に係る表示に含まれるボタン表示部であることを特徴とする請求項１乃至３のいずれか１項に記載の画像形成装置。
【請求項５】
前記指示受付手段とは、前記表示手段に表示されるコピー終了ボタン表示部及びコピー継続ボタン表示部に対する指示入力を受け付ける指示受付手段であり、前記コピー終了確認に係る表示とは、前記コピー終了ボタン表示部および前記コピー継続ボタン表示部を有する終了ダイアログの表示であって、
前記制御手段は、コピー終了の場合であって、前記判定手段により残金がないと判定される場合には、前記コピー終了ボタン表示部に対する指示入力を受付可能状態且つ前記コピー継続ボタン表示部に対する指示入力を受付不可能状態で前記終了ダイアログを表示するように前記表示手段を制御すると共に、前記指示受付手段がコピー終了を示す指示入力を受け付けなかった場合であって、追加のコインが投入された場合には前記終了ダイアログの前記コピー継続ボタン表示部に対する指示入力を受付可能状態に変更して表示することを特徴とする請求項１乃至３のいずれか１項に記載の画像形成装置。
【請求項６】
前記課金装置は返金に関する情報を出力する課金装置であって、前記制御手段は、コピー動作終了の場合であって、前記判定手段により残金があると判定される場合には、前記課金装置から出力された返金に関する情報に応じて、前記第２の警告を実行するように前記第１警告手段及び前記第２警告手段を制御することを特徴とする請求項１乃至５のいずれか１項に記載の画像形成装置。
【請求項７】
金額に関する情報を出力する課金装置と接続し、表示手段を備える画像形成装置で使用される警告方法において、
利用者からの指示を受け付ける指示受付工程と、
利用者に対し原稿置き忘れ防止の警告を行なうために、前記表示手段にて表示による警告を行なう第１警告工程および音により警告を行なう第２警告工程と、
前記課金装置から受信した金額に関する情報に基づいて残金を判定する判定工程と、
前記第１警告工程による第１の警告と、前記第１警告工程と前記第２警告工程の両方による第２の警告のいずれかを実行するように前記第１警告工程及び／又は前記第２警告工程を制御する制御工程とを備え、
前記制御工程は、コピー動作終了の場合であって、前記判定工程により残金がないと判定される場合には、前記表示手段にてコピー終了確認に係る表示を実行するように前記表示手段を制御すると共に、前記表示手段が前記コピーの終了確認に係る表示を実行し、前記指示受付工程によりコピー終了を示す指示入力を受け付けなかった場合に、前記課金装置に追加のコインが投入され且つ前記指示受付工程によりコピーを継続する指示入力を受け付けなかったときは、前記第１の警告を実行するように前記第１警告工程を制御することを特徴とする画像形成装置で使用される警告方法。
【請求項８】
前記指示受付工程は、更に、新たなコピーの設定の指示入力を受け付けることが可能であり、
前記制御工程は、前記指示受付工程によりコピーを継続する指示入力を受け付けなかった場合であって、前記指示受付工程により新たなコピーの設定の指示入力を受け付けなかったときは、前記第１の警告を実行するように前記第１警告工程を制御することを特徴とする請求項７記載の画像形成装置で使用される警告方法。
【発明の詳細な説明】
【技術分野】
【０００１】
本発明は、主にコンビニエンスストア等で用いられる課金装置付きの画像形成装置及び該装置で使用される警告方法に関する。
【背景技術】
【０００２】
コンビニエンスストア等で用いられる課金装置付きの複写機の利用者は、該複写機で原稿のコピーを行った後は、複写物の取り出しや課金処理に気を取られて、原稿台の上に原稿を置き忘れることがあるため、貴重な原稿を紛失しまうことがある。そこで、このような不都合を解消するために、従来より原稿の置き忘れ警告を行う複写機が開発されている。
【０００３】
例えば、原稿台上に原稿を置き忘れたことを複写機の利用者に対して警告するために、原稿が原稿台にある状態で、キーカウンタを抜く等の課金終了処理が行われた場合に、原稿置き忘れ警告を行う複写機が知られている（例えば、特許文献１参照）。
【特許文献１】特開平０５−５３３８５号公報
【発明の開示】
【発明が解決しようとする課題】
【０００４】
しかしながら、特許文献１の複写機は、キーカウンタが抜かれた場合に警告を行うものであり、音声装置で警告を発することで原稿の置き忘れを防ぐことができるものの、操作者がキーカウンタを抜かずに複写機を離れる場合には警告が行われないので、原稿台の原稿が残るおそれがある。
【０００５】
また、特許文献１の段落［００２８］には、硬貨を投入して利用料金の精算を行うものにも適応可能な記載があるものの、残金との関係については何ら開示されておらず、残金との関係が明確ではない。
【０００６】
例えば、課金装置が、予めコインを利用者に投入させておき、該利用者のコピー枚数に応じて課金し、その後料金清算を行う装置である場合には、コピー終了時に残金がなくなると、課金装置における残金返却等の清算処理が行われないため、何ら警告が行われないこととなり、原稿が置き忘れられる可能性が高い。
【０００７】
また、コイン投入形式の課金装置と組み合わされる複写機では、予め料金計算処理等で残金がゼロになることが分かっている場合があり、かかる場合には、利用者が複写機の前を離れて、課金装置の残金表示を確認する必要がないために、耳障りな警告を音声装置で発する必要はない。
【０００８】
本発明は、上記の課題を解消するためになされたものであり、原稿の置き忘れを効果的に防止することができる画像形成装置及び該装置で使用される警告方法を提供することを目的とする。
【課題を解決するための手段】
【０００９】
上記目的を達成するため、請求項１に記載の画像形成装置は、金額に関する情報を出力する課金装置と接続する画像形成装置において、表示手段と、利用者からのコピー終了を示す指示入力及びコピーを継続する指示入力を受け付ける指示受付手段と、利用者に対し原稿置き忘れ防止の警告を行なうために、前記表示手段にて表示による警告を行なう第１警告手段および音により警告を行なう第２警告手段と、前記課金装置から受信した金額に関する情報に基づいて残金を判定する判定手段と、前記第１警告手段による第１の警告と、前記第１警告手段と前記第２警告手段の両方による第２の警告のいずれかを実行するように前記第１警告手段及び／又は前記第２警告手段を制御する制御手段とを備え、前記制御手段は、コピー動作終了の場合であって、前記判定手段により残金がないと判定される場合には、前記表示手段にてコピー終了確認に係る表示を実行するように前記表示手段を制御すると共に、前記表示手段が前記コピーの終了確認に係る表示を実行し、前記指示受付手段がコピー終了を示す指示入力を受け付けなかった場合に、前記課金装置に追加のコインが投入され且つ前記指示受付手段がコピーを継続する指示入力を受け付けなかったときは、前記第１の警告を実行するように前記第１警告手段を制御することを特徴とする。
【００１０】
請求項２に記載の画像形成装置は、請求項１記載の画像形成装置において、前記指示受付手段は、更に、新たなコピーの設定の指示入力を受け付けることが可能であり、前記制御手段は、前記指示受付手段がコピーを継続する指示入力を受け付けなかった場合であって、前記指示受付手段が新たなコピーの設定の指示入力を受け付けなかったときは、前記第１の警告を実行するように前記第１警告手段を制御することを特徴とする。
【００１１】
請求項３に記載の画像形成装置は、請求項２記載の画像形成装置において、前記制御手段は、前記指示受付手段がコピーを継続する指示入力を受け付けなかった場合であって、前記指示受付手段が新たなコピーの設定の指示入力を受け付けず且つ所定時間経過したときは、前記第１の警告を実行するように前記第１警告手段を制御することを特徴とすることを特徴とする。
【００１２】
請求項４に記載の画像形成装置は、請求項１乃至３のいずれか１項に記載の画像形成装置において、前記指示受付手段はコピーの終了確認に係る表示に含まれるボタン表示部であることを特徴とする。
【００１３】
請求項５に記載の画像形成装置は、請求項１乃至３のいずれか１項に記載の画像形成装置において、前記指示受付手段とは、前記表示手段に表示されるコピー終了ボタン表示部及びコピー継続ボタン表示部に対する指示入力を受け付ける指示受付手段であり、前記コピー終了確認に係る表示とは、前記コピー終了ボタン表示部および前記コピー継続ボタン表示部を有する終了ダイアログの表示であって、前記制御手段は、コピー終了の場合であって、前記判定手段により残金がないと判定される場合には、前記コピー終了ボタン表示部に対する指示入力を受付可能状態且つ前記コピー継続ボタン表示部に対する指示入力を受付不可能状態で前記終了ダイアログを表示するように前記表示手段を制御すると共に、前記指示受付手段がコピー終了を示す指示入力を受け付けなかった場合であって、追加のコインが投入された場合には前記終了ダイアログの前記コピー継続ボタン表示部に対する指示入力を受付可能状態に変更して表示することを特徴とする。
【００１４】
請求項６に記載の画像形成装置は、請求項１乃至５のいずれか１項に記載の画像形成装置において、前記課金装置は返金に関する情報を出力する課金装置であって、前記制御手段は、コピー動作終了の場合であって、前記判定手段により残金があると判定される場合には、前記課金装置から出力された返金に関する情報に応じて、前記第２の警告を実行するように前記第１警告手段及び前記第２警告手段を制御することを特徴とする。
【００１５】
請求項７に記載の画像形成装置で使用される警告方法は、金額に関する情報を出力する課金装置と接続し、表示手段を備える画像形成装置で使用される警告方法において、利用者からの指示を受け付ける指示受付工程と、利用者に対し原稿置き忘れ防止の警告を行なうために、前記表示手段にて表示による警告を行なう第１警告工程および音により警告を行なう第２警告工程と、前記課金装置から受信した金額に関する情報に基づいて残金を判定する判定工程と、前記第１警告工程による第１の警告と、前記第１警告工程と前記第２警告工程の両方による第２の警告のいずれかを実行するように前記第１警告工程及び／又は前記第２警告工程を制御する制御工程とを備え、前記制御工程は、コピー動作終了の場合であって、前記判定工程により残金がないと判定される場合には、前記表示手段にてコピー終了確認に係る表示を実行するように前記表示手段を制御すると共に、前記表示手段が前記コピーの終了確認に係る表示を実行し、前記指示受付工程によりコピー終了を示す指示入力を受け付けなかった場合に、前記課金装置に追加のコインが投入され且つ前記指示受付工程によりコピーを継続する指示入力を受け付けなかったときは、前記第１の警告を実行するように前記第１警告工程を制御することを特徴とする。
【００１６】
請求項８に記載の画像形成装置で使用される警告方法は、請求項７記載の画像形成装置で使用される警告方法において、前記指示受付工程は、更に、新たなコピーの設定の指示入力を受け付けることが可能であり、前記制御工程は、前記指示受付工程によりコピーを継続する指示入力を受け付けなかった場合であって、前記指示受付工程により新たなコピーの設定の指示入力を受け付けなかったときは、前記第１の警告を実行するように前記第１警告工程を制御することを特徴とする。
【発明の効果】
【００１７】
請求項１に記載の画像形成装置及び請求項７に記載の画像形成装置で使用される警告方法によれば、コピー動作終了の場合であって、残金がないと判定される場合には、表示手段にてコピー終了確認に係る表示を実行するように表示手段を制御すると共に、表示手段がコピーの終了確認に係る表示を実行し、コピー終了を示す指示入力を受け付けなかった場合に、課金装置に追加のコインが投入され且つコピーを継続する指示入力を受け付けなかったときは、第１の警告を実行するように第１警告手段を制御するので、原稿の置き忘れを効果的に防止することができる。
【００１８】
請求項２に記載の画像形成装置及び請求項８に記載の画像形成装置で使用される警告方法によれば、コピーを継続する指示入力を受け付けなかった場合であって、新たなコピーの設定の指示入力を受け付けなかったときは、第１の警告を実行するように第１警告手段を制御するので、原稿の置き忘れを更に効果的に防止することができる。
【００１９】
請求項３に記載の画像形成装置によれば、コピーを継続する指示入力を受け付けなかった場合であって、新たなコピーの設定の指示入力を受け付けず且つ所定時間経過したときは、第１の警告を実行するように第１警告手段を制御するので、原稿の置き忘れを更に効果的に防止することができる。
【００２０】
請求項４に記載の画像形成装置によれば、残金がないと判別された場合には、原稿の置き忘れの警告が表示されるので、原稿の置き忘れを更に効果的に防止することができる。
【００２１】
請求項５に記載の画像形成装置によれば、終了ダイアログの表示により、原稿の置き忘れを効率的に防止することができる。
【００２２】
請求項６に記載の画像形成装置によれば、コピー動作終了の場合であって、前記判定手段により残金があると判定される場合には、前記課金装置から出力された返金に関する情報に応じて、前記第２の警告を実行するので原稿の置き忘れを効率的に防止することができる。
【発明を実施するための最良の形態】
【００２３】
以下、本発明の実施の形態について図面を参照して説明する。
【００２４】
図１は、本発明の実施の形態に係る画像形成装置と、該画像形成装置に接続される課金装置とで構成されるシステムのハードウェア構成を示すブロック図である。図２は、このシステムの外観構成を示す図である。
【００２５】
本実施の形態において、画像形成装置は以下の説明で複合機１００に適用される。
【００２６】
図１に示すように、複合機１００は、各構成部の制御を司る制御部１０１と、原稿を読み取る原稿読取部１０２と、利用者に対して画像形成に必要な情報の入力を促すと共に設定されている画像形成に必要な情報を表示する表示部１０３と、画像形成に必要な情報の入力するための入力部１０４と、課金装置２００とデータ通信線３００を介してデータ通信を行うインターフェース（Ｉ／Ｆ）１０５と、外部装置とファクシミリ通信を行う又は外部装置とネットワーク接続（例えばＬＡＮ等）する通信部１０６と、画像読取部１０２で読み取った原稿の画像や通信部１０６を介して入力されたデータを媒体（主として紙）に印刷する印刷部１０７と、様々な画像データや情報を記憶する記憶部１０８と、ブザー音や音声データの再生等で利用者に対して原稿の置き忘れを警告する又は利用者に対して複合機１００に対する注意を喚起せしめる警告部１０９と、制御部１０１、原稿読取部１０２、表示部１０３、入力部１０４、Ｉ／Ｆ１０５、通信部１０６、印刷部１０７、記憶部１０８及び警告部１０９をそれぞれ互いに接続させるシステムバス１１０とを備えている。
【００２７】
制御部１０１は、複合機１００全体の制御を司るＣＰＵ１０１ａと、複合機１００全体を制御するためのプログラムを格納するＲＯＭ１０１ｂと、データを一時格納する機能やＣＰＵ１０１ａのワーキングエリアとしての機能を有するＲＡＭ１０１ｃとを備えている。後述するコピー処理を制御するためのプログラムはＲＯＭ１０１ｂに格納されているが、これに限らず、記憶部１０８が当該プログラムを格納する構成としてもよい。
【００２８】
表示部１０３はタッチパネルで構成されており、画像形成に必要な情報を表示するだけでなく、画像形成に必要な情報の入力を受け付けることができる。
【００２９】
印刷部１０７は、白黒コピーのみならず、フルカラーコピーや写真コピーが実行できる。
【００３０】
図１に示すように、課金装置２００は、各構成部の制御を司る制御部２０１と、課金処理に必要とされるプログラムを格納する記憶部２０２と、返金指示の入力（返金ボタン２０９（図２）の押下等）を検出するための返金指示入力検出部２０３と、複合機１００とデータ通信線３００を介してデータ通信を行うインターフェース（Ｉ／Ｆ）２０４と、投入されたコインを検出する投入コイン検出部２０５と、残金を表示する表示部２０６と、制御部２０１、記憶部２０２、返金指示入力部２０３、Ｉ／Ｆ２０４、投入コイン検出部２０５及び表示部２０６をそれぞれ互いに接続させるシステムバス２０７とを備えている。さらに、課金装置２００は図２に示すように、残金を利用者に返却するための返却口２０８と返金ボタン２０９とを備えている。投入コイン検出部２０５はコイン投入の有無も検出する。
【００３１】
課金装置２００では、投入コイン検出部２０５が投入されたコインを検出し、投入されたコインの合計金額やコピー後の精算金額を記憶部２０２に記憶されたプログラムに基づいて制御部２０１が算出する。この算出結果のデータはＩ／Ｆ２０４及びデータ通信線３００を介して複合機１００のＩ／Ｆ１０５に送信される。複合機１００の制御部１０１は、Ｉ／Ｆ１０５から投入されたコインの合計金額や精算金額の算出結果のデータを受信する。さらに、制御部１０１は、この受信した合計金額や精算金額の算出結果のデータに基づいて、表示部１０３や入力部１０４を介して入力されたコピー処理が可能であるか否かを判断する、即ち、料金不足か否かの判断を行う（料金チェック）。一方、制御部１０１は、コピー処理が実行された後に、残金の有無を判断する（残金チェック）。制御部１０１は予め課金装置２００からコインの合計金額等の算出結果のデータを受信しているので、ＲＯＭ１０１ｂに格納されているコピー処理を制御するためのプログラムに基づいて自ら残金チェックを行うことができる。尚、具体的な残金の金額のデータは、課金装置２００の表示部２０６で表示する必要があるので、Ｉ／Ｆ１０５及びデータ通信線３００を介して課金装置２００に送信される。
【００３２】
また、制御部１０１が直接残金チェックを行わずに、例えば、コピー枚数やコピー用紙のサイズ等の課金に必要なデータを課金装置２００に送信し、課金装置２００で残金の計算を行わせ、その計算結果のデータを受信することで、制御部１０１が残金チェックを行う構成としてもよい。この際、課金装置２００では、コピー動作中などは、複写機１００から１枚出力する毎にその出力完了の信号を出力し、課金装置２００がその信号を受信するなどで課金処理を行い、残金計算や残金表示などに反映するという構成にすることも可能である。
【００３３】
複合機１００と課金装置２００との間で通信される、上記の合計金額や精算金額の算出結果のデータ及び残金の金額のデータは、具体的な数字データでもよいが、これらの情報を示すビットデータや、複合機１００と課金装置２００とが認識できる特別のルールで規定されたデータ等でもよい。また、複合機１００と課金装置２００とが、互いに変換テーブルを記憶部に備え、受信したデータ等を該変換テーブルに基づいて所定のデータ等に変換するようにしてもよい（例えば、複合機１００から送信されるデータは、コピー枚数を示すデータであるが、課金装置２００がこのコピー枚数を示すデータを変換テーブルを用いて金額を示すデータに変換する等の処理である）。
【００３４】
制御部１０１は、コピー処理が実行された後に、残金の有無を判断する（残金チェック）としたが、これに限らず、課金装置２００から投入されたコインの合計金額や精算金額の算出結果のデータを受信した後は、割り込み処理として常に残金の有無を判断する構成としてもよい。
【００３５】
上記のように構成された、複合機１００と課金装置２００とからなるシステムにおける、複合機１００のコピー処理について以下説明する。
【００３６】
図３，４は、複合機１００のコピー処理を具体的に示すフローチャートである。
【００３７】
まず、複合機１００の電源が投入され、初期化処理が終わると、表示部１０３が図５に示すようなコイン投入を促すダイアログを表示する（ステップＳ１０１）。
【００３８】
次いで、制御部１０１はコインが投入されたか否かを判別する（ステップＳ１０２）。コインが投入されたか否かは、制御部１０１が直接判断することはできないが、課金装置２００の投入コイン検出部２０５がコイン投入の有無を検出するので、制御部１０１はこの検出結果を課金装置２００からデータ通信線３００を介して受信することで、コインが投入されたか否かの判別を行うことができる。
【００３９】
ステップＳ１０２の判別の結果、制御部１０１がコインが投入されていないと判別する場合には、ステップＳ１０１の処理を継続する一方、制御部１０１がコインが投入されたと判別した場合には、表示部１０３が図６に示すようなコピーモードの選択を促すダイアログを表示する（ステップＳ１０３）。図６に示すように、利用者が選択できるコピーモードは、「フルカラーコピー」、「白黒コピー」及び「写真コピー」のいずれか１つである。
【００４０】
次に、制御部１０１が表示部１０３を介して具体的なコピーモードの入力があるか否かを判別し（ステップＳ１０４）、具体的なコピーモードの入力がない場合には、ステップＳ１０３の処理を継続する一方、具体的なコピーモードの入力がある場合には、表示部１０３がコピー条件を設定するためのダイアログを表示する（ステップＳ１０５）。このダイアログの例を図７，８に示す。表示部１０３は、まず最初にコピーする用紙サイズを利用者に選択させるため、図７に示すダイアログを表示し、利用者がコピーする用紙サイズを選択した後に、コピーの色、用紙サイズ、コピーの倍率、原稿の種類、コピー濃度及びコピー部数を利用者に選択させるため、図８に示すダイアログを表示する。図７，８に示す「設定やり直し」ボタンを押下すると、表示部１０３は図６に示すダイアログを表示する。尚、表示部１０３は、複合機１００が備える、不図示の原稿サイズ検出センサーが検出した原稿サイズと利用者が図７に示すダイアログで選択したコピーする用紙サイズとが異なる場合には、原稿の位置を正確にセットすることを促すダイアログを表示する。
【００４１】
次いで、制御部１０１は、図７，８に示すダイアログを表示する表示部１０３を介して具体的なコピー条件が入力されているか否かを判別する（ステップＳ１０６）。
【００４２】
ステップＳ１０６の判別の結果、図７，８に示すダイアログを表示する表示部１０３を介して具体的なコピー条件が入力されていない場合には、制御部１０１はコイン返却の指示の有無を判別する（ステップＳ１２４）。コイン返却の指示の有無は、制御部１０１が直接判断することはできないが、課金装置２００の返金指示入力部２０３が返金指示の入力を検出するので、制御部１０１はこの検出結果を課金装置２００からデータ通信線３００を介して受信することで、コイン返却の指示の有無を判断することができる。
【００４３】
ステップＳ１２４の判別の結果、コイン返却の指示がない場合には、ステップＳ１０５の処理に戻る一方、コイン返却の指示がある場合には、警告部１０９がブザー音や音声データの再生等で利用者に対して原稿の置き忘れを警告し（ステップＳ１２５）、さらに表示部１０３が図１２に示すような原稿置き忘れの警告を表示し（ステップＳ１１９）、本処理を終了する。このように、コイン返却の指示がある場合には、警告部１０９が、コイン返却に気を取られている利用者に対して、複合機１００に対する注意をブザー音や音声データの再生等で喚起し、さらに複合機１００に注意を向けた利用者に対して表示部１０３が原稿置き忘れの警告を表示するので、原稿の置き忘れを効果的に防止することができる。警告部１０９は、「原稿の置き忘れに注意してください」等の音声を再生することで、利用者に対して直接警告するようにしてもよい。
【００４４】
ステップＳ１０６の判別の結果、図７，８に示すダイアログを表示する表示部１０３を介して具体的なコピー条件が入力されている場合には、制御部１０１はこの入力されたコピー条件を受け付けて、ＲＡＭ１０１ｃに一時保存し（ステップＳ１０７）、図８に示すダイアログの「コピー開始」ボタンが押下されたか否かを判別する（ステップＳ１０８）。
【００４５】
ステップＳ１０８の判別の結果、「コピー開始」ボタンが押下されていない場合には、表示部１０３が入力済みのコピー条件を表示に反映し、ステップＳ１０５の処理が継続される。これに対して、「コピー開始」ボタンが押下されている場合には、制御部１０１はＲＡＭ１０１ｃに一時保存したコピー条件を確定し（ステップＳ１０９）、課金装置２００から受信した、投入されたコインの合計金額等の算出結果のデータに基づいて、ステップＳ１０９で確定したコピー条件のコピー処理が可能であるか否かを判別する、即ち、当該コピー処理を実行するための料金が不足しているか否か判別を行う（ステップＳ１１０）。
【００４６】
ステップＳ１１０の判別の結果、コピー処理を実行するための料金が不足している場合には、表示部１０３が図９に示すような、料金不足の警告を示すダイアログを表示する（ステップＳ１２０）。図９に示すように、料金不足の警告を示すダイアログは、「設定を変更する」ボタンと「最初からやり直す」ボタンを含む。
【００４７】
次に、制御部１０１は、料金不足の警告を示すダイアログの「設定を変更する」ボタンが押下されたか否かを判別し（ステップＳ１２１）、「設定を変更する」ボタンが押下された場合には、ステップＳ１０５の処理に戻る。即ち、表示部１０３が図７，８のコピー条件を設定するためのダイアログを表示する。一方、「設定を変更する」ボタンが押下されていない場合には、制御部１０１は、「最初からやり直す」ボタンが押下されたか否かを判別し（ステップＳ１２２）、「最初からやり直す」ボタンが押下された場合には、ステップＳ１０３の処理に戻る。即ち、表示部１０３が、図６に示すコピーモードの選択を促すダイアログを表示する。一方、「最初からやり直す」ボタンが押下されていない場合には、利用者が追加のコインを投入していることが想定されるため、ステップＳ１１０の判別処理に戻る。
【００４８】
上記ステップＳ１１０の判別の結果、コピー処理を実行するための料金が十分である場合には、複合機１００はコピー動作を開始する（ステップＳ１１１）。コピー中は、表示部１０３は、図１０に示すようなコピー中であることを示すダイアログを表示する。このダイアログは、「コピー中止」ボタンを含む。
【００４９】
次に、制御部１０１は、コピー中であることを示すダイアログに含まれる「コピー中止」ボタンが押下されたか否かを判別し（ステップＳ１１２）、「コピー中止」ボタンが押下された場合には、ステップＳ１２３の処理に進む一方、「コピー中止」ボタンが押下されていない場合には、コピーが完了したか否かを判別する（ステップＳ１１３）。
【００５０】
ステップＳ１１３の判別の結果、コピーが完了していない場合には、ステップＳ１１１の処理に戻る一方、コピーが完了した場合には、制御部１０１は、残金の有無の判別を行う（ステップＳ１１４）。
【００５１】
ステップＳ１１４の判別の結果、残金がある場合には、コピー条件を変更してコピーすることや同じ条件でさらにコピーすることを考慮して、ステップＳ１２３の処理に進む。一方、残金がない場合には、表示部１０３は、図１１に示すようなコピーが終了したことを示すダイアログ（以下、終了ダイアログという）を表示する（ステップＳ１１５）。この終了ダイアログは、「終了する」ボタン、「続けてコピーする」ボタン及び「新しい設定でコピーする」ボタンを含む。但し、「続けてコピーする」ボタン及び「新しい設定でコピーする」ボタンは、追加のコインが投入されるまで利用者が押下できないことを明確に表示するため、これらのボタンは追加のコインが投入されるまで網掛け表示となる。追加のコインが投入された場合には、これらのボタンは「終了する」ボタンと同様に、利用者が選択可能な通常表示となる。
【００５２】
次いで、制御部１０１は、終了ダイアログに含まれる「終了する」ボタンが押下されたか否かを判別し（ステップＳ１１６）、「終了する」ボタンが押下された場合には、表示部１０３は図１３に示すような原稿置き忘れの警告を表示し（ステップＳ１１９）、本処理を終了する。このように、残金がない場合には、原稿の置き忘れの警告が表示部１０３上に表示されるので、原稿の置き忘れを効果的に防止することができる。
【００５３】
ステップＳ１１６の判別の結果、「終了する」ボタンが押下されていない場合には、制御部１０１は、追加のコインが投入されたか否かを判別する（ステップＳ１１７）。制御部１０１は投入コイン検出部２０５によるコイン投入の有無の検出結果を課金装置２００からデータ通信線３００を介して受信することで、追加のコインが投入されたか否かの判別を行う。
【００５４】
ステップＳ１１７の判別の結果、追加のコインが投入されていない場合には、制御部１０１は所定時間（例えば２分）経過後、タイムアウト処理に移行するか否かを判別する（ステップＳ１１８）。タイムアウト処理に移行しない場合には、ステップＳ１１５の処理に戻る一方、タイムアウト処理に移行する場合には、ステップＳ１１９の処理に進み、表示部１０３が原稿置き忘れの警告を表示する。
【００５５】
ステップＳ１１７の判別の結果、追加のコインが投入された場合には、表示部１０３は、図１２における終了ダイアログに含まれる「続けてコピーする」ボタン及び「新しい設定でコピーする」ボタンの表示を通常表示とする。即ち、終了ダイアログに利用者が選択可能な条件が追加される（ステップＳ１２６）。
【００５６】
次に、制御部１０１は、終了ダイアログに含まれる「続けてコピーする」ボタンが押下されたか否かを判別し（ステップＳ１２７）、「続けてコピーする」ボタンが押下された場合には、ステップＳ１０５の処理に進む一方、「続けてコピーする」ボタンが押下されていない場合には、終了ダイアログに含まれる「新しい設定でコピーする」ボタンが押下されたか否かを判別する（ステップＳ１２８）。「新しい設定でコピーする」ボタンが押下された場合には、ステップＳ１０３の処理に進む一方、「新しい設定でコピーする」ボタンが押下されていない場合には、ステップＳ１１８の処理に進む。
【００５７】
上述したように、本実施の形態によれば、利用者からコイン返却の指示がある場合に、警告部１０９が利用者に対して複合機１００に対する注意を喚起し、さらに利用者に対して表示部１０３が原稿置き忘れの警告を表示するので例えばブザーなどの警報を行った場合においても警告の意味を知ることが可能で、原稿の置き忘れを効果的に防止することができる。警告部１０９は、「原稿の置き忘れに注意してください」等の音声を再生することで、利用者に対して直接警告し、さらに利用者に対して表示部１０３が原稿置き忘れの警告を表示することで、原稿の置き忘れを重畳的に防止することができる。また、残金がない場合には、原稿の置き忘れの警告が表示部１０３上に表示されるので、利用者が複写機１００の前に居る状況で容易に視認できるので、わざわざ耳さわりな警告をならずまでもなく、原稿の置き忘れを効果的に防止することができる。
【００５８】
また、本実施の形態によれば、残金の有無に応じて、表示部１０３による原稿の置き忘れの警告表示及び警告部１０９による音声警告の実行の可否が決定されるので、残金の有無に応じて利用者に対して警告の方法を変えることができ、原稿の置き忘れを効果的に防止することができる。
【００５９】
本発明は、上述した実施の形態の機能を実現するソフトウェアのプログラムをコンピュータ又は制御部（具体的にはＣＰＵ）に供給し、そのコンピュータ又はＣＰＵが該供給されたプログラムを読出して実行することによっても本発明の目的が達成されることは云うまでもない。
【００６０】
この場合、上記プログラムは、不図示の該プログラムを記録した記録媒体から直接、又はインターネット、商用ネットワーク、若しくはローカルエリアネットワーク等に接続される不図示の他のコンピュータやデータベース等からダウンロードすることにより供給される。
【００６１】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００６２】
更にまた、上述した実施の形態の機能を実現するソフトウェアのプログラムを記録した記録媒体をコンピュータに供給し、そのコンピュータが記録媒体に格納されたプログラムを読出し実行することによっても、本発明の目的が達成されることは云うまでもない。
【００６３】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−ＲＯＭ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。
【図面の簡単な説明】
【００６４】
【図１】本発明の実施の形態に係る画像形成装置と、該画像形成装置に接続される課金装置とで構成されるシステムのハードウェア構成を示すブロック図である。
【図２】本発明の実施の形態に係る画像形成装置と、該画像形成装置に接続される課金装置とで構成されるシステムの外観構成を示す図である。
【図３】複合機１００のコピー処理を具体的に示すフローチャートである。
【図４】複合機１００のコピー処理を具体的に示すフローチャートである。
【図５】表示部１０３におけるコイン投入を促すダイアログの表示例を示す図である。
【図６】表示部１０３におけるコピーモードの選択を促すダイアログの表示例を示す図である。
【図７】表示部１０３におけるコピー条件を設定するためのダイアログの表示例を示す図である。
【図８】表示部１０３におけるコピー条件を設定するためのダイアログの表示例を示す図である。
【図９】表示部１０３における料金不足の警告を示すダイアログの表示例を示す図である。
【図１０】表示部１０３におけるコピー中であることを示すダイアログの表示例を示す図である。
【図１１】表示部１０３における終了ダイアログの表示例を示す図である。
【図１２】表示部１０３における原稿置き忘れの警告の表示例を示す図である。
【符号の説明】
【００６５】
１０１，２０１  制御部
１０２  原稿読取部
１０３，２０６  表示部
１０４入力部
１０５，２０４  Ｉ／Ｆ
１０６  通信部
１０７  印刷部
１０８，２０２  記憶部
１０９  警告部
１１０，２０７  システムバス
２０３  返金指示入力検出部
２０５  投入コイン検出部
【図１】
2007053806.tif 000003
【図２】
2007053806.tif 000004
【図３】
2007053806.tif 000005
【図４】
2007053806.tif 000006
【図５】
2007053806.tif 000007
【図６】
2007053806.tif 000008
【図７】
2007053806.tif 000009
【図８】
2007053806.tif 000010
【図９】
2007053806.tif 000011
【図１０】
2007053806.tif 000012
【図１１】
2007053806.tif 000013
【図１２】
2007053806.tif 000014